(57)【要約】【課題】第１冷媒検出部が冷媒の漏れを意図せず検出するのを抑えることができる冷凍空調装置及び冷凍空調システムを提供することである。【解決手段】冷凍空調装置は、第１冷凍サイクルと、第１冷媒検出部と、第１入力部と、第１切替え部とを持つ。前記第１冷凍サイクルは、第１圧縮機を有し、第１冷媒が収容されている。前記第１冷媒検出部は、前記第１冷媒を検出する。前記第１入力部は、使用者が操作することで、検出状態と停止状態とに、前記第１圧縮機の運転及び停止とは独立して前記第１冷媒検出部を切替え可能である。前記検出状態は、前記第１冷媒検出部が前記第１冷媒を検出する動作を行う。前記停止状態は、前記第１冷媒検出部が前記第１冷媒を検出する動作を行わない。【選択図】図２
2018054142.tif 000002
【特許請求の範囲】
【請求項１】
第１圧縮機を有し、第１冷媒が収容された第１冷凍サイクルと、
前記第１冷媒を検出する第１冷媒検出部と、
使用者が操作することで、前記第１冷媒検出部が前記第１冷媒を検出する動作を行う検出状態と、前記第１冷媒検出部が前記第１冷媒を検出する動作を行わない停止状態とに、前記第１圧縮機の運転及び停止とは独立して前記第１冷媒検出部を切替え可能な第１切替え部と、
を備える冷凍空調装置。
【請求項２】
使用者が操作して入力を行う第１入力部と、
前記第１入力部に行われた前記入力を信号に変換して無線通信により送信する送信部と、
前記送信部から無線通信により送信された前記信号を受信する受信部と、
前記第１切替え部を制御する第１制御部と、
を備え、
前記第１制御部は、前記受信部が受信した前記信号に基づいて前記第１切替え部により前記第１冷媒検出部を前記検出状態と前記停止状態とに切替える請求項１に記載の冷凍空調装置。
【請求項３】
前記第１冷凍サイクルが有する第１圧縮機を制御する第１制御部を備え、
前記第１制御部は、前記第１冷媒検出部が前記停止状態であるときに前記第１圧縮機を運転しない請求項１又は２に記載の冷凍空調装置。
【請求項４】
表示を行う第１表示部と、
前記第１表示部を制御する第１制御部と、
を備え、
前記第１制御部は、前記第１冷媒検出部が故障していることを検出したときに、前記第１冷媒検出部が故障していることを表す表示を前記第１表示部にさせる請求項１に記載の冷凍空調装置。
【請求項５】
発音を行う発音部と、
前記発音部を制御する第１制御部と、
を備え、
前記第１制御部は、前記第１冷媒検出部が故障していることを検出したときに、前記第１冷媒検出部が故障していることを表す発音を前記発音部にさせる請求項１に記載の冷凍空調装置。
【請求項６】
前記第１制御部は、前記第１冷凍サイクルが有する第１圧縮機を制御し、
前記第１制御部は、前記第１冷媒検出部が故障していることを検出したときに、前記第１圧縮機を運転しない請求項４又は５に記載の冷凍空調装置。
【請求項７】
送風機と、
前記送風機を制御する第１制御部と、
を備え、
前記第１制御部は、前記第１冷媒検出部が前記停止状態であるときに前記送風機を運転する請求項１に記載の冷凍空調装置。
【請求項８】
内部空間が形成された収容室と、
請求項１に記載の冷凍空調装置と、
第２冷媒が収容された第２冷凍サイクルを有する第２冷凍空調装置と、
を有し、
前記第１冷凍サイクルの少なくとも一部、及び前記第２冷凍サイクルの少なくとも一部が、前記内部空間に配置される冷凍空調システム。
【請求項９】
前記冷凍空調装置は、
使用者が操作して入力を行う第１入力部と、
第１対象物の温度を検出する第１温度検出部と、
前記第１入力部から入力された第１目標温度を記憶する第１記憶部と、
を備え、
前記第２冷凍空調装置は、
前記第２冷媒を検出する第２冷媒検出部と、
使用者が入力を行う第２入力部と、
前記第２入力部に行われた前記入力に基づいて、前記第２冷媒検出部が前記第２冷媒を検出する動作を行う検出状態と、前記第２冷媒検出部が前記第２冷媒を検出する動作を行わない停止状態とに、前記第２冷凍サイクルが有する第２圧縮機の運転及び停止とは独立して前記第２冷媒検出部を切替え可能な第２切替え部と、
第２対象物の温度を検出する第２温度検出部と、
前記第２入力部から入力された第２目標温度を記憶する第２記憶部と、
を備え、
前記第１冷媒検出部及び前記第２冷媒検出部の少なくとも一方が前記第１冷媒又は前記第２冷媒を検出したこと、前記第１温度検出部が検出した温度、前記第１目標温度、前記第２温度検出部が検出した温度、及び前記第２目標温度を表示する第３表示部と、
使用者が入力を行う第３入力部と、
前記第３入力部に行われた前記入力に基づいて前記第１切替え部及び前記第２切替え部を制御する第３制御部と、
を有する請求項８に記載の冷凍空調システム。
【発明の詳細な説明】
【技術分野】
【０００１】
本発明の実施形態は、冷凍空調装置及び冷凍空調システムに関する。
【背景技術】
【０００２】
従来、冷凍空調装置に収容された冷媒が漏れたことを検出するために、冷凍空調装置が冷媒を検出する検出部を備える場合がある。検出部が冷媒を検出すると、冷凍空調装置の制御部は、冷媒が漏れたことを使用者に知らせたりする。冷媒が可燃性を有する場合には、制御部は室内ユニットのファンを運転させて冷媒の濃度を燃焼下限濃度以下にしたりする。
【０００３】
しかしながら、このように冷凍空調装置を構成すると、冷凍空調装置が配置される空間に他の冷凍空調装置が配置された場合に、以下のような問題が生じる。すなわち、他の冷凍空調装置から意図せずに漏れた冷媒、及び、他の冷凍空調装置のメンテナンス（保守）時に漏れた冷媒により、この冷凍空調装置の検出部がこの冷凍空調装置から冷媒が漏れたと意図せず検出する恐れがある。
【先行技術文献】
【特許文献】
【０００４】
【特許文献１】特許第４５９９６９９号公報
【発明の概要】
【発明が解決しようとする課題】
【０００５】
本発明が解決しようとする課題は、第１冷媒検出部が冷媒の漏れを意図せず検出するのを抑えることができる冷凍空調装置及び冷凍空調システムを提供することである。
【課題を解決するための手段】
【０００６】
実施形態の冷凍空調装置は、第１冷凍サイクルと、第１冷媒検出部と、第１入力部と、第１切替え部とを持つ。前記第１冷凍サイクルは、第１圧縮機を有し、第１冷媒が収容されている。前記第１冷媒検出部は、前記第１冷媒を検出する。前記第１入力部は、使用者が操作することで、検出状態と停止状態とに、前記第１圧縮機の運転及び停止とは独立して前記第１冷媒検出部を切替え可能である。前記検出状態は、前記第１冷媒検出部が前記第１冷媒を検出する動作を行う。前記停止状態は、前記第１冷媒検出部が前記第１冷媒を検出する動作を行わない。
【図面の簡単な説明】
【０００７】
【図１】第１の実施形態のショーケース、このショーケースが取付けられる店舗、及び店舗に取付けられる空気調和装置の側面の断面図。
【図２】第１の実施形態のショーケース及び空気調和装置のブロック図。
【図３】第１の実施形態の変形例におけるショーケースのブロック図。
【図４】第１の実施形態の変形例におけるショーケース、このショーケースが取付けられる店舗、及び店舗に取付けられる空気調和装置の側面の断面図。
【図５】第２の実施形態のショーケース、このショーケースが取付けられる店舗、及び店舗に取付けられる空気調和装置の側面の断面図。
【図６】第２の実施形態のショーケースのブロック図。
【図７】第３の実施形態の冷凍空調システムの側面の断面図。
【図８】第３の実施形態の冷凍空調システムのブロック図。
【図９】第４の実施形態の冷凍空調システムのブロック図。
【発明を実施するための形態】
【０００８】
以下、実施形態の冷凍空調装置及び冷凍空調システムを、図面を参照して説明する。
【０００９】
（第１の実施形態）
図１に示すように、本実施形態のショーケース（冷凍空調装置）１は、別置型のショーケースであり、ショーケース１がコンビニエンスストア等の店舗（収容室）２０１の内部に配置され、冷凍機２１が店舗２０１の外部に配置される。図１及び図２に示すように、ショーケース１と冷凍機２１とが第１配管１５で接続されることにより、第１冷凍サイクル１１が形成される。
例えば、第１冷凍サイクル１１は、第１圧縮機１２、第１室外熱交換器１３、第１室内熱交換器１４、第１配管１５、及び第１膨張部（不図示）を有する。
第１圧縮機１２は、運転している状態で公知のインバータ制御により運転周波数を変更することができる。第１圧縮機１２は、第１制御部４０により運転と停止とが切替えられる。なお、第１圧縮機１２として運転周波数を変更できないものを用いてもよい。
熱交換器１３、１４には、フィンチューブ型の熱交換器を用いることができる。第１膨張部には、開度を調節可能なＰＭＶ（Pulse Motor Valve）が用いられる。第１配管１５は、第１圧縮機１２、第１室外熱交換器１３、第１膨張部、及び第１室内熱交換器１４を、この順で順次接続する。
【００１０】
第１冷凍サイクル１１内には、図示しない第１冷媒が収容されている。例えば、第１冷媒として、Ｒ３２冷媒やＨＦＯ混合冷媒等の可燃性冷媒、又は、Ｒ４４８冷媒やＲ４４９冷媒を用いることができる。
第１室外熱交換器１３には、第１室外ファン１７が対向するように配置されている。第１室内熱交換器１４に対応する第１室内ファン１８が、空気通路内に配置されている。ファン１７、１８には、軸流ファンを用いることができる。
第１圧縮機１２、第１室外熱交換器１３、及び第１室外ファン１７は、冷凍機２１の室外ケーシング２０に収容されている。第１圧縮機１２、第１室外熱交換器１３、第１室外ファン１７、第１制御部４０、及び室外ケーシング２０等で、冷凍機（第１室外ユニット）２１を構成する。冷凍機２１は、店舗２０１の外部に配置されている。
第１室内熱交換器１４及び第１室内ファン１８は、ショーケース本体２３に収容されている。ショーケース本体２３は、断熱壁や金属製の板材等を組み合わせて構成されている。第１室内熱交換器１４、第１室内ファン１８、第１冷媒検出部３１、第１スイッチ（第１切替え部）３３、第１表示部（表示部）３６、第１入力部３８、第１制御部４０、及びショーケース本体２３等で、ショーケース（第１室内ユニット）１を構成する。ショーケース１は、店舗２０１に形成された内部空間２０１ａの下方（床２０２上）に配置されている。第１冷凍サイクル１１の一部である第１室内熱交換器１４及び第１配管１５の一部は、内部空間２０１ａに配置される。
【００１１】
第１冷媒検出部３１は、第１冷媒を検出するセンサである。例えば、第１冷媒検出部３１として公知の半導体式の冷媒検出センサが用いられる。第１冷媒検出部３１は、入力端子及び出力端子を、それぞれ１つ又は複数有している。
第１冷媒検出部３１は、入力端子の１つに直流電圧が印加されると第１冷媒を検出する動作を行う検出状態になる。一方で、第１冷媒検出部３１は、この入力端子に直流電圧が印加されないと第１冷媒を検出する動作を行わない停止状態になる。第１冷媒検出部３１は、ショーケース本体２３に取付けられている。
第１冷媒検出部３１は、出力端子の１つから第１冷媒の検出結果Ｄ１を第１制御部４０に送信する。
また、第１冷媒検出部３１は、第１冷媒検出部３１自身の第１冷媒を検出する機能が故障しているか否かを判定する機能を有している。第１冷媒検出部３１は、出力端子の他の１つから故障の判定結果Ｄ２を第１制御部４０に送信する。
なお、第１冷媒検出部３１は、第１冷媒だけでなく後述する第２冷媒も検出する。
【００１２】
ショーケース１は、第１冷媒検出部３１、第１制御部４０等に直流電圧を供給する第１電源部３４を備えている。
第１スイッチ３３は、第１電源部３４の出力端子と第１冷媒検出部３１の入力端子を電気的に接続するか否かを切替えるスイッチである。使用者は、第１スイッチ３３を直接操作することができる。第１スイッチ３３をＯＮにすることで、第１電源部３４と第１冷媒検出部３１とが電気的に接続されて直流電圧が供給され、第１冷媒検出部３１が検出状態になる。第１スイッチ３３をＯＦＦにすることで、第１電源部３４と第１冷媒検出部３１とが電気的に遮断され、第１冷媒検出部３１が停止状態になる。
第１スイッチ３３は、第１冷媒検出部３１を検出状態と停止状態とに切替えることができる。この第１スイッチ３３による第１冷媒検出部３１の切替えは、第１圧縮機１２の運転及び停止とは独立して切替えられる。
【００１３】
例えば、第１表示部３６は複数のＬＥＤ（Light Emitting Diode）３６ａ、３６ｂを有している。ＬＥＤ３６ａは緑色の光を発し、ＬＥＤ３６ｂは赤色の光を発する。ＬＥＤ３６ａ、３６ｂによる表示は、使用者が視覚により認識可能なものである。
第１入力部３８は、図示しない複数の操作スイッチを有している。複数の操作スイッチを操作することで、使用者は第１入力部３８に対して入力を行う。
第１制御部４０は、ＣＰＵ（Central Processing Unit）を有している。第１制御部４０には、第１記憶部４１が接続されている。第１記憶部４１は、ＲＡＭ（Random Access Memory）等を有している。第１記憶部４１には、第１制御部４０を制御するための制御プログラム等が記憶されている。
【００１４】
第１制御部４０は、第１圧縮機１２、ファン１７、１８、第１冷媒検出部３１、第１スイッチ３３、第１表示部３６、及び第１入力部３８に図示しない配線等により接続されている。第１制御部４０は、第１圧縮機１２、ファン１７、１８、及び第１表示部３６を制御する。
第１制御部４０は、第１スイッチ３３のＯＮ／ＯＦＦの状態を検出することで、第１冷媒検出部３１が検出状態及び停止状態のいずれの状態であるかを判定する。第１制御部４０は、第１冷媒検出部３１の状態を判定し、判定結果に基づいて第１表示部３６を点灯させる態様を変化させる。例えば、第１制御部４０は、第１冷媒検出部３１が検出状態と判定したときには、緑色の光を発するＬＥＤ３６ａを点灯させる。第１制御部４０は、第１冷媒検出部３１が停止状態と判定したときには、ＬＥＤ３６ａを点滅させる。
第１制御部４０は、第１表示部３６により第１冷媒検出部３１が検出状態及び停止状態のいずれの状態であるかを示す。
【００１５】
第１制御部４０は、第１冷媒検出部３１から第１冷媒検出部３１の故障の判定結果Ｄ２を受信する。第１制御部４０は、第１冷媒検出部３１が故障していることを検出したときに、第１冷媒検出部３１が故障していることを表す表示を第１表示部３６にさせる。具体的には、赤色の光を発するＬＥＤ３６ａを点灯させる。この場合、第１表示部３６は、第１冷媒検出部３１の故障を使用者に知らせる警報装置として機能する。
【００１６】
この例では、第１冷媒検出部３１、第１スイッチ３３、第１表示部３６、及び第１入力部３８は、ショーケース本体２３に取付けられている。
【００１７】
次に、以上のように構成されたショーケース１及び冷凍機２１（以下、まとめショーケース１という）の動作について説明する。第１スイッチ３３は予めＯＮになっているとする。
使用者は、第１入力部３８を操作してショーケース１を起動する。第１電源部３４は、第１冷媒検出部３１、第１制御部４０等に直流電圧を供給する。第１スイッチ３３がＯＮになっているため、第１冷媒検出部３１は検出状態である。
第１制御部４０は、第１圧縮機１２を所定の運転周波数で運転させる。第１制御部４０は、ファン１７、１８を運転させる。第１圧縮機１２内で圧縮された第１冷媒は第１圧縮機１２から吐出され、第１室外熱交換器１３内で凝縮する。凝縮した第１冷媒は、第１膨張部で膨張して温度が下がる。膨張した第１冷媒は、第１室内熱交換器１４内に流れ込み、第１室内熱交換器１４内で蒸発する。第１室内熱交換器１４で冷却された空気は、第１室内ファン１８によりショーケース本体２３の陳列空間２３ａに供給され、陳列空間２３ａを冷却する。陳列空間２３ａに配置された、図示しない食品等が冷やされる。
蒸発した第１冷媒は、第１圧縮機１２内に流れ込み、再び第１圧縮機１２内で圧縮される。
【００１８】
第１制御部４０は第１スイッチ３３がＯＮであることを検出し、第１冷媒検出部３１が検出状態であると判定する。緑色の光を発するＬＥＤ３６ａを点灯させる。
第１冷媒検出部３１が故障していないときには、第１冷媒検出部３１は、出力端子から第１冷媒検出部３１が故障していないことを表す信号を第１制御部４０に送信する。第１制御部４０は、赤色の光を発するＬＥＤ３６ｂを消灯させる。
第１冷媒検出部３１が故障したときには、第１冷媒検出部３１は、出力端子から第１冷媒検出部３１が故障していることを表す信号を第１制御部４０に送信する。第１制御部４０は、ＬＥＤ３６ｂを点灯させる。
第１制御部４０は、第１冷媒検出部３１が故障していることを検出したときに、第１圧縮機１２を運転しないように制御してもよい。
点灯しているＬＥＤ３６ｂを見た使用者は、第１冷媒検出部３１の修理等、第１冷媒検出部３１に対して必要な処置を行う。
【００１９】
本実施形態では、店舗２０１に空気調和装置（第２冷凍空調装置）２が設置されている。空気調和装置２は、第２冷凍サイクル５１、及び第２制御部６６を備える。
例えば、第２冷凍サイクル５１は、第２圧縮機５２、第２室外熱交換器５３、第２室内熱交換器５４、第２配管５５、及び第２膨張部（不図示）を有する。
第２圧縮機５２は、第１圧縮機１２と同様に構成されている。熱交換器５３、５４は、熱交換器１３、１４と同様に構成されている。第２膨張部は、第１膨張部と同様に構成されている。第２配管５５は、第２圧縮機５２、第２室外熱交換器５３、第２膨張部、及び第２室内熱交換器５４を、この順で順次接続する。
【００２０】
第２冷凍サイクル５１内には、図示しない第２冷媒が収容されている。例えば、第２冷媒として、Ｒ３２冷媒やＨＦＯ混合冷媒等の可燃性冷媒、又はＲ４１０冷媒を用いることができる。
第２室外熱交換器５３には、第２室外ファン５７が対向するように配置されている。第２室内熱交換器５４には、第２室内ファン５８が対向するように配置されている。第２室外ファン５７は、第１室外ファン１７と同様に構成されている。第２室内ファン５８には、シロッコファンを用いることができる。
【００２１】
第２圧縮機５２、第２室外熱交換器５３、及び第２室外ファン５７は、室外ケーシング６０に取付けられている。第２圧縮機５２、第２室外熱交換器５３、第２室外ファン５７、第２制御部６６、及び室外ケーシング６０等で、室外ユニット（第２室外ユニット）６１を構成する。室外ユニット６１は、店舗２０１の外部に配置されている。
第２室内熱交換器５４及び第２室内ファン５８は、室内ケーシング６３に取付けられている。第２室内熱交換器５４、第２室内ファン５８、及び室内ケーシング６３等で、室内ユニット（第２室内ユニット）６４を構成する。第２室内ユニット６４は、店舗２０１の内部空間２０１ａの上方（天井２０４）に配置されている。第２冷凍サイクル５１の一部である第２室内熱交換器５４及び第２配管５５の一部は、内部空間２０１ａに配置される。
【００２２】
第２制御部６６は、第２圧縮機５２、第２室外ファン５７、及び第２室内ファン５８に接続されている。第２制御部６６は、第２圧縮機５２、第２室外ファン５７、及び第２室内ファン５８を制御する。
【００２３】
次に、以上のように構成された空気調和装置２の動作について説明する。
使用者は、空気調和装置２を起動する。第２制御部６６は、第２圧縮機５２を所定の運転周波数で運転させる。第２制御部６６は、ファン５７、５８を運転させる。第２圧縮機５２内で圧縮された第２冷媒は第２圧縮機５２から吐出され、第２室外熱交換器５３内で凝縮する。凝縮した第２冷媒は、第２膨張部で膨張して温度が下がる。膨張した第２冷媒は、第２室内熱交換器５４内に流れ込み、第２室内熱交換器５４内で蒸発する。第２室内熱交換器５４で冷却された空気は、第２室内ファン５８により店舗２０１の内部空間２０１ａに供給され、内部空間２０１ａを冷却する。
【００２４】
次に、ショーケース１及び空気調和装置２が取付けられた店舗２０１において、空気調和装置２をメンテナンスする際の手順について説明する。
空気調和装置２をメンテナンスする前に、使用者は第１スイッチ３３を操作して、第１冷媒検出部３１を停止状態に切替える。空気調和装置２をメンテナンスする。このとき、空気調和装置２の第２冷凍サイクル５１から第２冷媒が漏れたりしても、第１冷媒検出部３１が停止状態であるため、第１冷媒検出部３１は第２冷媒を検出しない。
【００２５】
以上説明したように、本実施形態のショーケース１によれば、第１スイッチ３３を備えるため、第１圧縮機１２が運転していても、第１冷媒検出部３１を停止状態に切替えることができる。したがって、第１冷媒検出部３１が冷媒の漏れを意図せず検出するのを抑えることができる。これにより、ショーケース１の利便性を向上させることができる。また、第１スイッチ３３を再度操作して第１冷媒検出部３１を検出状態に切替えることで、第１冷媒検出部３１の動作を容易に再開させることができ、ショーケース１の安全性を向上させることができる。
第１冷媒検出部３１が検出状態及び停止状態のいずれの状態であるかを第１表示部３６が示すため、使用者は第１表示部３６を見ることで、第１冷媒検出部３１の状態を認識することができる。
【００２６】
第１制御部４０は第１冷媒検出部３１が故障していることを検出したときに第１表示部３６に表示をする。これにより、使用者は第１表示部３６を見ることで、第１冷媒検出部３１が故障しているか否かを認識することができる。したがって、ショーケース１の利便性及び安全性を向上させることができる。
第１冷媒検出部３１が故障していることを検出したときに、第１制御部４０は第１圧縮機１２を運転しない。第１制御部４０に、いわゆるインターロック機能を持たせる。第１冷媒検出部３１が故障していて停止状態であるときに、第１圧縮機１２を必ず停止させるため、ショーケース１の安全性を向上させることができる。
【００２７】
なお、本実施形態では、図３に示すショーケース１Ａのように、ショーケース１の第１表示部３６に代えて、第１発音部（発音部）６９を備えてもよい。第１発音部６９には、公知のスピーカ等を用いることができる。第１発音部６９は第１制御部４０に接続され、第１制御部４０により制御される。
例えば、第１制御部４０は、第１冷媒検出部３１が検出状態と判定したときには、第１発音部６９から音を発しない。第１制御部４０は、第１冷媒検出部３１が停止状態と判定したときには、第１発音部６９から所定の音を断続的に発する。第１発音部６９による発音は、使用者が聴覚により認識可能なものである。このように、第１制御部４０は、第１発音部６９により第１冷媒検出部３１が検出状態及び停止状態のいずれの状態であるかを示す。
【００２８】
本変形例のショーケース１Ａによれば、第１冷媒検出部３１が検出状態及び停止状態のいずれの状態であるかを第１発音部６９が発音により示すため、使用者は第１発音部６９が発する音を聴くことで、第１冷媒検出部３１の状態を認識することができる。
第１発音部６９が発する音を聴くことで、ショーケース１Ａから離れた場所でも第１冷媒検出部３１の状態を容易に判別することができる。このため、ショーケース１Ａの利便性及び安全性を向上させることができる。
【００２９】
また、この場合、第１制御部４０は、第１冷媒検出部３１が故障していることを検出したときに、第１冷媒検出部３１が故障していることを表す発音を第１発音部６９にさせてもよい。例えば、第１制御部４０は、第１冷媒検出部３１が故障していることを検出したときに第１発音部６９から所定の音を連続的に発する。
このように構成することで、使用者は第１発音部６９が発する音を聴くことで、第１冷媒検出部３１が故障しているか否かを認識することができる。
【００３０】
また、第１制御部４０は、第１冷媒検出部３１が停止状態であるときに第１圧縮機１２を運転しないように制御してもよい。この場合、前述のように空気調和装置２をメンテナンスする前に第１冷媒検出部３１を停止状態にすると、第１制御部４０は第１圧縮機１２を停止させる。
このように構成することで、第１冷媒検出部３１が停止状態であるときに、第１圧縮機１２を必ず停止させるため、ショーケース１の安全性を向上させることができる。
【００３１】
図４に示すショーケース１Ｂのように、ショーケース１の各構成に加えて攪拌ファン（送風機）７２を備えてもよい。攪拌ファン７２は、第１制御部４０に接続され、第１制御部４０に制御される。第１制御部４０は、第１冷媒検出部３１が停止状態であるときに攪拌ファン７２を運転する。
一般的に、第１冷媒は空気よりも重いため、店舗２０１内で第１冷凍サイクル１１から第１冷媒が漏れたときに、第１冷媒は店舗２０１の床２０２近くに溜まる。このため、攪拌ファン７２は、床２０２近くに配置することが好ましい。
このように構成することで、第１冷媒検出部３１が停止状態であるときに、第１冷凍サイクル１１から漏れた第１冷媒が拡散される。したがって、ショーケース１Ｂの安全性を向上させることができる。
【００３２】
（第２の実施形態）
次に、第２の実施形態について図５及び図６を参照しながら説明するが、前記実施形態と同一の部位には同一の符号を付してその説明は省略し、異なる点についてのみ説明する。
図５及び図６に示すように、本実施形態のショーケース１Ｃは、ショーケース１の第１スイッチ３３及び第１入力部３８に代えて、第１スイッチ７５、リモートコントローラ７６、及び第１受信部（受信部）８１を備えている。リモートコントローラ７６は、ケーシング７７、及びケーシング７７内に収容された第１入力部７８、第１送信部（送信部）７９を有する。
【００３３】
第１スイッチ７５は、第１制御部４０からの信号によりＯＮ／ＯＦＦに切替え可能なスイッチである。第１スイッチ７５は、第１制御部４０に接続され、第１制御部４０に制御される。
第１入力部７８は、図示しない複数の操作スイッチを有している。使用者は、複数の操作スイッチを操作することで第１入力部７８に対して入力を行う。第１送信部７９は、第１入力部７８に行われた入力を公知の方法で信号に変換して無線通信により送信する。第１入力部７８及び第１送信部７９を有するリモートコントローラ７６は、使用者が携帯して持ち歩き可能である。リモートコントローラ７６としては、いわゆるスマートフォンやタブレット型端末を用いることができる。
第１受信部８１は、第１送信部７９から無線通信により送信された信号を受信する。第１送信部７９及び第１受信部８１が無線通信する規格は、赤外線通信、Ｂｌｕｅｔｏｏｔｈ（登録商標）等、公知の規格を用いることができる。第１受信部８１は、第１制御部４０に接続され、第１制御部４０に受信した信号を送る。
第１制御部４０は、第１受信部８１から送られた信号に基づいて第１スイッチ７５により第１冷媒検出部３１を検出状態と停止状態とに切替える。
【００３４】
以上のように構成されたショーケース１Ｃの動作について説明する。第１スイッチ７５は予めＯＮになっているとする。
空気調和装置２をメンテナンスする前に、使用者はリモートコントローラ７６における第１入力部７８の複数の操作スイッチを操作して、第１入力部７８に入力を行う。使用者は、第１冷媒検出部３１を停止状態に切替える入力を行う。
この入力は第１送信部７９に送られ、第１送信部７９は信号を無線通信により送信する。第１受信部８１は信号を受信し、第１制御部４０に受信した信号を送る。第１制御部４０は、第１スイッチ７５をＯＦＦにすることにより第１冷媒検出部３１を停止状態にする。
【００３５】
以上説明したように、本実施形態のショーケース１Ｃによれば、第１冷媒検出部３１が冷媒の漏れを意図せず検出するのを抑えることができる。さらに、ショーケース１Ｃが第１スイッチ７５、第１入力部７８、第１送信部７９、及び第１受信部８１を備える。このため、第１受信部８１から離れた場所においても、使用者は第１入力部７８に入力を行うことで、第１冷媒検出部３１を検出状態と停止状態とに切替えることができる。したがって、ショーケース１Ｃの利便性及び安全性を向上させることができる。
【００３６】
（第３の実施形態）
次に、第３の実施形態について図７及び図８を参照しながら説明するが、前記実施形態と同一の部位には同一の符号を付してその説明は省略し、異なる点についてのみ説明する。
図７及び図８に示すように、本実施形態の冷凍空調システム３は、店舗２０１、ショーケース１Ｄ、空気調和装置２Ｄ、及びリモートコントローラ４を有している。
【００３７】
ショーケース１Ｄは、ショーケース１の第１スイッチ３３に代えて、第１スイッチ７５を備え、さらに第１温度検出部８６、及び第１送受信部８７を備えている。
第１記憶部４１は、陳列空間２３ａの空気（第１対象物）Ａ１を制御する目標温度である第１目標温度を記憶する。第１目標温度は、第１入力部３８から入力される。
第１温度検出部８６は、陳列空間２３ａの空気Ａ１の温度を検出する。第１送受信部８７は、無線通信により後述する第３送受信部１０３と信号を送信したり受信したりする。第１送受信部８７は、第１温度検出部８６が検出した温度、及び第１目標温度等を、後述する第３送受信部１０３に送信する。
【００３８】
空気調和装置２Ｄは、空気調和装置２の各構成に加えて、第２電源部９１、第２入力部９２、第２冷媒検出部９３、第２スイッチ（第２切替え部）９４、第２温度検出部９５、第２記憶部９６、及び第２送受信部９７を備えている。
第２電源部９１は、第２冷媒検出部９３等に直流電圧を供給する。
第２入力部９２は、図示しない複数の操作スイッチを有している。複数の操作スイッチを操作することで、使用者は第２入力部９２に対して入力を行う。
第２冷媒検出部９３は、第１冷媒検出部３１と同様に構成されている。第２冷媒検出部９３は、第１冷媒及び第２冷媒を検出するセンサである。第２冷媒検出部９３は、出力端子から第１冷媒及び第２冷媒の検出結果Ｄ６を第２制御部６６に送信する。
第２冷媒検出部９３は、第２入力部９２に行われた入力に基づいて、検出状態と停止状態とに切替え可能である。第２冷媒検出部９３は検出状態において、第１冷媒及び第２冷媒を検出する動作を行う。第２冷媒検出部９３は停止状態において、第１冷媒及び第２冷媒を検出する動作を行わない。第２冷媒検出部９３は、第２圧縮機５２の運転及び停止とは独立して検出状態と停止状態とに切替え可能である。
【００３９】
第２スイッチ９４は、第２制御部６６からの信号によりＯＮ／ＯＦＦに切替え可能なスイッチである。第２スイッチ９４は、ＯＮのときに第２冷媒検出部９３を検出状態にし、ＯＦＦのときに第２冷媒検出部９３を停止状態にする。第２スイッチ９４は、第２制御部６６に接続され、第２制御部６６に制御される。
第２温度検出部９５は、店舗２０１の内部空間２０１ａの空気（第２対象物）Ａ２の温度を検出する。例えば、第２入力部９２及び第２温度検出部９５はコントローラ９９を構成する。コントローラ９９は、店舗２０１の壁２０３に取付けられている。
第２記憶部９６は、空気Ａ２を制御する目標温度である第２目標温度を記憶する。第２目標温度は、第２入力部９２から入力される。
第２送受信部９７は、無線通信により後述する第３送受信部１０３と信号を送信したり受信したりする。第２送受信部９７は、第２温度検出部９５が検出した温度、及び第２目標温度等を、後述する第３送受信部１０３に送信する。
【００４０】
リモートコントローラ４は、第３入力部１０２、第３送受信部１０３、第３表示部１０４、及び第３制御部１０５を備える。
第３入力部１０２は、使用者が入力を行う。
第３送受信部１０３は、無線通信により第１送受信部８７及び第２送受信部９７と信号を送信したり受信したりする。
第３表示部１０４は、検出部３１、９３が冷媒を検出したこと、第１温度検出部８６が検出した温度、第１目標温度、第２温度検出部９５が検出した温度、及び第２目標温度を表示する。
第３制御部１０５は、第３入力部１０２に行われた入力に基づいて第１スイッチ７５及び第２スイッチ９４を制御する。
【００４１】
以上のように構成された冷凍空調システム３の動作について説明する。第１スイッチ７５及び第２スイッチ９４は、それぞれ予めＯＮになっているとする。例えば、夏期において、冷凍空調システム３の外気温度が３５℃、店舗２０１の内部空間２０１ａの温度が２８℃であるとする。
使用者は冷凍空調システム３の第３入力部１０２に入力を行うこと等により、冷凍空調システム３を起動する。使用者は、第１入力部３８から第１目標温度を入力する。例えば、第１目標温度は５℃である。第１記憶部４１は、第１目標温度を記憶する。使用者は、第２入力部９２から第２目標温度を入力する。例えば、第２目標温度は２８℃である。第２記憶部９６は、第２目標温度を記憶する。
【００４２】
第１制御部４０が第１圧縮機１２を運転させると、前述のように陳列空間２３ａの空気Ａ１が冷却される。第２制御部６６が第２圧縮機５２を運転させると、前述のように内部空間２０１ａの空気Ａ２が冷却される。
第１温度検出部８６は、定期的に陳列空間２３ａの空気Ａ１の温度を検出する。第２温度検出部９５は、定期的に内部空間２０１ａの空気Ａ２の温度を検出する。
【００４３】
第２冷媒検出部９３が、第１冷媒又は第２冷媒を検出したとする。この時点で、第１温度検出部８６が検出した空気Ａ１の温度が、５℃であったとする。第２温度検出部９５が検出した空気Ａ２の温度が、３０℃であったとする。
第１送受信部８７は、第１温度検出部８６が検出した温度、及び第１目標温度を、第３送受信部１０３に無線通信により送信する。第２送受信部９７は、第２冷媒検出部９３が第１冷媒又は第２冷媒を検出したこと、第２温度検出部９５が検出した温度、及び第２目標温度を、第３送受信部１０３に無線通信により送信する。
【００４４】
第３送受信部１０３は、送信された第２冷媒検出部９３が第１冷媒又は第２冷媒を検出したこと、第１温度検出部８６が検出した温度等を第３表示部１０４に表示する。使用者は、第１温度検出部８６が検出した温度５℃と第１目標温度５℃との温度差が、０℃であることが分かる。使用者は、第２温度検出部９５が検出した温度３０℃と第２目標温度２８℃との温度差が、２℃であることが分かる。
使用者は、冷媒はショーケース１Ｄ及び空気調和装置２Ｄのどちらかから漏れたのかは分からないが、これらの温度差のうち、小さい方に対応する冷凍空調装置（ショーケース１Ｄ）は、大きい方に対応する冷凍空調装置（空気調和装置２Ｄ）に比べて温度制御がより精度良くできていると分かる。そこで、温度制御がより精度良くできていない冷凍空調装置から冷媒が漏れたと判断する。
使用者は、第３入力部１０２に入力を行うことで、これらの温度差のうち、小さい方に対応する冷媒検出部を停止状態にする。具体的には、温度差が０℃であるショーケース１Ｄの第１スイッチ７５をＯＦＦにする。
【００４５】
具体的には、第３表示部１０４の表示を見た使用者は、第３入力部１０２に入力を行うことで、温度差が小さい方に対応するショーケース１Ｄの第１送受信部８７に第１スイッチ７５をＯＦＦにする指示を出す。第３制御部１０５は、第３送受信部１０３により第１送受信部８７に無線通信により信号を送信する。第１送受信部８７は、受信した信号を第１制御部４０に送る。第１制御部４０は、第１スイッチ７５をＯＦＦにすることで、第１冷媒検出部３１を停止状態にする。
【００４６】
この後で、使用者は以下のように操作してもよい。すなわち、空気調和装置２Ｄの第２冷媒検出部９３を停止状態にするとともに、第２圧縮機５２を停止させる。空気調和装置２Ｄをメンテナンス等する。
【００４７】
以上説明したように、本実施形態の冷凍空調システム３によれば、ショーケース１Ｄの第１冷媒検出部３１が冷媒の漏れを意図せず検出するのを抑えることができる。さらに、使用者は冷媒が漏れていないと判断したショーケース１Ｄの第１冷媒検出部３１を停止状態にし、冷媒が漏れたと判断した空気調和装置２Ｄをメンテナンス等することができる。
【００４８】
なお、本実施形態では、冷凍空調システム３が第１送受信部８７、第２送受信部９７、及び第３送受信部１０３を備えず、冷凍空調システム３が有線送信により信号を送信したり受信したりするように構成してもよい。
また、第１冷媒検出部３１及び第２冷媒検出部９３の少なくとも一方が冷媒を検出したときに、第３制御部１０５が、第１温度検出部８６が検出した温度と第１目標温度との温度差、及び第２温度検出部９５が検出した温度と第２目標温度との温度差のうち小さい方に対応する冷媒検出部を停止状態にしてもよい。
【００４９】
（第４の実施形態）
次に、第４の実施形態について図９を参照しながら説明するが、前記実施形態と同一の部位には同一の符号を付してその説明は省略し、異なる点についてのみ説明する。
図９に示すように、本実施形態の冷凍空調システム３Ａは、店舗２０１（図７参照）、ショーケース１Ｅ、及び空気調和装置２Ｅを有している。
【００５０】
ショーケース１Ｅは、ショーケース１の第１スイッチ３３に代えて、前述の第１スイッチ７５及び第１受信部８１を備えている。
空気調和装置２Ｅは、空気調和装置２Ｄの第２送受信部９７に代えて、第２送信部１１１を備えている。第２送信部１１１は、無線通信により信号を送信する。
【００５１】
空気調和装置２Ｅに設けられた第２冷媒検出部９３が、冷媒を検出したとする。空気調和装置２Ｅは天井２０４付近に配置され、ショーケース１Ｅは床２０２上に配置されているため、第２冷媒検出部９３がショーケース１Ｅの第１冷媒を検出することはないとして、第２制御部６６は、空気調和装置２Ｅから第２冷媒が漏れたと判断する。第２制御部６６は、第２圧縮機５２を停止するとともに、第２室内ファン５８を運転させる。これにより漏れた第２冷媒を撹拌させる。そして、第２制御部６６は、空気調和装置２Ｅで冷媒が漏れたことを第２送信部１１１により送信する。ショーケース１Ｅの第１受信部８１は送信された信号を受信し、第１制御部４０に信号を送る。第１制御部４０は、第１スイッチ７５により第１冷媒検出部３１を停止状態にする。
【００５２】
以上説明したように、本実施形態の冷凍空調システム３Ａによれば、ショーケース１Ｅの第１冷媒検出部３１が冷媒の漏れを意図せず検出するのを抑えることができる。さらに、空気調和装置２Ｅで冷媒が漏れた時に第２圧縮機５２を停止させ、ショーケース１Ｅの第１冷媒検出部３１を自動的に停止状態にすることができる。
【００５３】
なお、冷凍空調システム３Ａが第１受信部８１及び第２送信部１１１を備えず、冷凍空調システム３Ａが有線送信により信号を送信したり受信したりするように構成してもよい。
第３の実施形態及び第４の実施形態では、第１冷凍サイクル１１の一部及び第２冷凍サイクル５１の一部が、内部空間２０１ａに配置されるとした。しかし、第１冷凍サイクル１１全体が内部空間２０１ａに配置される一体型のショーケースとしてもよい。第２冷凍サイクル５１全体が内部空間２０１ａに配置される一体型の空気調和装置としてもよい。
【００５４】
前記第１の実施形態から第４の実施形態では、第１冷媒検出部３１はショーケース本体２３に取付けられているとしたが、第１冷媒検出部３１の配置位置はこれに限られない。例えば、第１冷媒検出部３１は、店舗２０１の内部空間２０１ａに配置されていればよい。
【００５５】
以上説明した少なくともひとつの実施形態によれば、第１スイッチ３３、７５を持つことにより、第１冷媒検出部３１が冷媒の漏れを意図せず検出するのを抑えることができる。
【００５６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５７】
１、１Ａ、１Ｂ、１Ｃ、１Ｄ、１Ｅ…ショーケース（冷凍空調装置）、２Ｄ、２Ｅ…空気調和装置（第２冷凍空調装置）、３、３Ａ…冷凍空調システム、１１…第１冷凍サイクル、１２…第１圧縮機、３１…第１冷媒検出部、３３、７５…第１スイッチ（第１切替え部）、３６…第１表示部（表示部）、３８、７８…第１入力部、４０…第１制御部、４１…第１記憶部、５１…第２冷凍サイクル、５２…第２圧縮機、６６…第２制御部、６９…第１発音部（発音部）、７２…攪拌ファン（送風機）、７５…第１スイッチ（第１切替え部）、７９…第１送信部（送信部）、８１…第１受信部（受信部）、８６…第１温度検出部、９２…第２入力部、９３…第２冷媒検出部、９４…第２スイッチ（第２切替え部）、９５…第２温度検出部、９６…第２記憶部、１０２…第３入力部、１０４…第３表示部、１０５…第３制御部、２０１…店舗（収容室）、２０１ａ…内部空間、Ａ１、Ａ２…空気
【図１】
2018054142.tif 000003
【図２】
2018054142.tif 000004
【図３】
2018054142.tif 000005
【図４】
2018054142.tif 000006
【図５】
2018054142.tif 000007
【図６】
2018054142.tif 000008
【図７】
2018054142.tif 000009
【図８】
2018054142.tif 000010
【図９】
2018054142.tif 000011